(57)【特許請求の範囲】
【請求項１】
遮熱板の端縁部を保持しつつ窓部に装着されて該窓部を前記遮熱板との二重窓構造にする枠材であって、
前記窓部の窓ガラスに貼着される中空構造のベース部と、
該ベース部の一縁側から立ち上がって前記窓部の窓枠に対向配置される立上部と、
該立上部の前記ベース部とは反対側に揺動可能に設けられ前記ベース部とで前記遮熱板の端縁部を挟持可能な見切部と、
前記ベース部とで前記遮熱板の端縁部を挟持した状態に前記見切部を保持する保持部とを有し、
前記ベース部は、前記窓ガラス側に配置される外側板部と、該外側板部の前記窓ガラスとは反対側に配置される内側板部と、これら外側板部および内側板部を繋ぐ複数の連結板部とで空間部を形成する中空構造をなしていることを特徴とする枠材。
【請求項２】
前記立上部の前記ベース部とは反対側には、前記見切部とは反対方向に突出する隅隠部が形成されていることを特徴とする請求項１に記載の枠材。
【請求項３】
遮熱板の端縁部を保持しつつ窓部に装着されて該窓部を前記遮熱板との二重窓構造にする枠材であって、
前記窓部の窓ガラスに貼着される中空構造のベース部と、
該ベース部の一縁側から立ち上がって前記窓部の窓枠に対向配置される立上部と、
該立上部の前記ベース部とは反対側に揺動可能に設けられ前記ベース部とで前記遮熱板の端縁部を挟持可能な見切部と、
前記ベース部とで前記遮熱板の端縁部を挟持した状態に前記見切部を保持する保持部とを有し、
前記立上部の前記ベース部とは反対側には、前記見切部とは反対方向に突出する隅隠部が形成されていることを特徴とする枠材。
【請求項４】
合成樹脂からなる一体成形品であることを特徴とする請求項１乃至３のいずれか一項に記載の枠材。
【請求項５】
請求項１乃至４のいずれか一項に記載の枠材と、
該枠材を介して窓部に取り付けられて該窓部とで二重窓構造をなす遮熱板とを有する遮熱パネル。
【発明の詳細な説明】
【技術分野】
【０００１】
本発明は、例えば既存の窓部を簡易に二重窓構造にすることが可能な枠材および遮熱パネルに関する。
【背景技術】
【０００２】
窓ガラス部に枠部材を粘着剤で取り付け、この枠部材に取り付けられる押え部材で採光断熱材を窓ガラス部とで挟持して簡易断熱窓を形成するものがある（例えば、特許文献１参照）。
【先行技術文献】
【特許文献】
【０００３】
【特許文献１】特開２０１０−１０１１５２号公報
【発明の概要】
【発明が解決しようとする課題】
【０００４】
上記の簡易断熱窓では、採光断熱材と窓ガラス部との間に配置される枠部材の遮熱性が十分であるとは言えず、さらなる改善の余地があった。
【０００５】
本発明は、かかる問題点に鑑みてなされたものであり、遮熱性を向上させることができる枠材および遮熱パネルの提供を目的とする。
【課題を解決するための手段】
【０００６】
上記目的を達成するために、請求項１に係る発明は、遮熱板の端縁部を保持しつつ窓部に装着されて該窓部を前記遮熱板との二重窓構造にする枠材であって、前記窓部の窓ガラスに貼着される中空構造のベース部と、該ベース部の一縁側から立ち上がって前記窓部の窓枠に対向配置される立上部と、該立上部の前記ベース部とは反対側に揺動可能に設けられ前記ベース部とで前記遮熱板の端縁部を挟持可能な見切部と、前記ベース部とで前記遮熱板の端縁部を挟持した状態に前記見切部を保持する保持部とを有し、前記ベース部は、前記窓ガラス側に配置される外側板部と、該外側板部の前記窓ガラスとは反対側に配置される内側板部と、これら外側板部および内側板部を繋ぐ複数の連結板部とで空間部を形成する中空構造をなしていることを特徴とする。
【０００７】
請求項２に係る発明は、前記立上部の前記ベース部とは反対側には、前記見切部とは反対方向に突出する隅隠部が形成されていることを特徴とする。
【０００８】
請求項３に係る発明は、遮熱板の端縁部を保持しつつ窓部に装着されて該窓部を前記遮熱板との二重窓構造にする枠材であって、前記窓部の窓ガラスに貼着される中空構造のベース部と、該ベース部の一縁側から立ち上がって前記窓部の窓枠に対向配置される立上部と、該立上部の前記ベース部とは反対側に揺動可能に設けられ前記ベース部とで前記遮熱板の端縁部を挟持可能な見切部と、前記ベース部とで前記遮熱板の端縁部を挟持した状態に前記見切部を保持する保持部とを有し、前記立上部の前記ベース部とは反対側には、前記見切部とは反対方向に突出する隅隠部が形成されていることを特徴とする。
請求項４に係る発明は、合成樹脂からなる一体成形品であることを特徴とする。
【０００９】
請求項５に係る発明は、前記枠材と、該枠材を介して窓部に取り付けられて該窓部とで二重窓構造をなす遮熱板とを有することを特徴とする。
【発明の効果】
【００１０】
請求項１または３に係る発明によれば、窓部の窓ガラスに貼着されるとともに見切部とで遮熱板の端縁部を挟持するベース部が中空構造をなしているため、ベース部つまり窓ガラスと遮熱板との間に配置される部分の遮熱性を向上させることができる。
【００１１】
請求項２または３に係る発明によれば、立上部の見切部とは反対側に隅隠部が形成されているため、例えば立上部と窓枠との間に断熱材を配置してもこれを隅隠部で隠すことができ、外観が良くなる。
【００１２】
請求項４に係る発明によれば、合成樹脂からなる一体成形品であるため、部品点数を低減することができ、製造コストおよび管理コスト等を低減することができる。
【００１３】
請求項５に係る発明によれば、窓部の窓ガラスに貼着されるとともに見切部とで遮熱板の端縁部を挟持する枠材のベース部が中空構造をなしているため、ベース部つまり窓ガラスと遮熱板との間に配置される部分の遮熱性を向上させることができる。よって、遮熱パネル全体の遮熱性を向上させることができる。
【図面の簡単な説明】
【００１４】
【図１】本発明の一実施形態に係る枠材を含む遮熱パネルの施工例を示す断面図である。
【図２】本発明の一実施形態に係る枠材を示す断面図である。
【図３】本発明の一実施形態に係る枠材を含む遮熱パネルの分解断面図である。
【図４】本発明の一実施形態に係る枠材を含む遮熱パネルの施工途中の状態を示す断面図である。
【図５】本発明の一実施形態に係る枠材を含む遮熱パネルの変形施工例を示す断面図である。
【図６】本発明の一実施形態に係る枠材を含む遮熱パネルの変形施工例を示す断面図である。
【発明を実施するための形態】
【００１５】
以下、本発明の一実施形態に係る枠材および遮熱パネルを図面を参照して説明する。
【００１６】
図１に符号１０で示すものは、オフィスビルや住宅等に設けられた既設の窓部であり、この窓部１０は、平板状の窓ガラス１１と、この窓ガラス１１の全周囲を囲むように窓ガラス１１の端縁部に取り付けられる窓枠１２とを有している。
【００１７】
本実施形態に係る枠材２０を含む遮熱パネル２１は、上記窓部１０の室内側に装着されて窓部１０を二重窓構造にするものであり、枠材２０と遮熱板２２とからなっている。
【００１８】
遮熱板２２は、枠材２０を介して窓部１０に取り付けられるもので、この窓部１０とで二重窓構造をなす主体となる部材である。遮熱板２２は、アクリルあるいはポリカーボネート等の採光遮熱性の合成樹脂材料からなるもので、正面から見て窓枠１２の内寸よりも一回り小さい矩形平板状に形成されている。具体的に、遮熱板２２は、遮熱コーティングや遮熱シートを貼着した透明アクリル板、あるいは中空ポリカーボネート板が遮熱・断熱に好適である。
【００１９】
枠材２０は、遮熱板２２の端縁部を保持しつつ窓部１０に装着されて窓部１０を遮熱板２２との二重窓構造にするものである。枠材２０は、ポリ塩化ビニル等の合成樹脂からなる一体成形品であって、押出成形によって一定断面の長尺状に形成されている。枠材２０は、図２に詳しく示すように、ベース部２５と、ベース部２５の幅方向の一縁側から立ち上がる立上部２６と、立上部２６のベース部２５とは反対側に設けられるヒンジ部２７と、このヒンジ部２７を介して立上部２６のベース部２５とは反対側に揺動可能に設けられる見切部２８と、立上部２６のベース部２５とは反対側から見切部２８とは反対方向に突出する隅隠部２９と、ベース部２５に見切部２８を着脱可能に連結する保持部３０とを有している。
【００２０】
ベース部２５は、平板状の外側板部３５と、外側板部３５よりも幅広で外側板部３５と平行をなす平板状の内側板部３６と、これら外側板部３５および内側板部３６に直交してこれらの一方の端縁部同士を繋ぐ平板状の一端連結板部３７と、外側板部３５および内側板部３６に直交し且つ一端連結板部３７と平行をなして外側板部３５および内側板部３６の中間部同士を繋ぐ平板状の中間連結板部３８と、外側板部３５および内側板部３６に対し４５度に傾斜してこれらの他方の端縁部同士を繋ぐ平板状の他端連結板部３９と、外側板部３５の一端縁部から内側板部３６とは反対方向に突出する一端突条部４１と、外側板部３５の他端縁部から内側板部３６とは反対方向に突出する他端突条部４２と、内側板部３６の一端縁部から外側板部３５とは反対方向に突出する内側突条部４３とからなっている。よって、ベース部２５は、外側板部３５と内側板部３６と一端連結板部３７と中間連結板部３８との間に空間部４５が、外側板部３５と内側板部３６と他端連結板部３９と中間連結板部３８との間に空間部４６が、それぞれ形成された中空構造をなしている。他端連結板部３９は、外側板部３５側ほど中間連結板部３８に近づくように傾斜しており、ベース部２５の立上部２６側に面取り４７を形成している。
【００２１】
立上部２６は、平板状をなしており、内側板部３６の他端縁部から内側板部３６に垂直をなし且つ一端連結板部３７および中間連結板部３８に平行をなして外側板部３５とは反対側に立ち上がっている。
【００２２】
ヒンジ部２７は、可撓性を有するように薄肉板状に形成された樹脂ヒンジであり、図２に示すように保持部３０がベース部２５と見切部２８とを連結している状態で、立上部２６の立ち上がり方向におけるベース部２５とは反対側の端縁部から立上部２６に対するベース部２５の延出方向と同方向に延出する。
【００２３】
見切部２８は、保持部３０がベース部２５と見切部２８とを連結している状態で、ヒンジ部２７の立上部２６とは反対側の端縁部からベース部２５と略平行に延出する平板状の基板部５１と、基板部５１のヒンジ部２７とは反対側の端縁部から先端側ほどベース部２５に近づくように傾斜して延出する先板部５２と、先板部５２の基板部５１とは反対側の端縁部からベース部２５の方向に突出して内側突条部４３に対向する対向突条部５３とからなっている。
【００２４】
保持部３０は、ベース部２５に設けられるメス部５６と、見切部２８に設けられるオス部５７とからなっている。
【００２５】
メス部５６は、内側板部３６の中間連結板部３８の位置から中間連結板部３８と同一平面に配置されるように内側板部３６に垂直をなして外側板部３５とは反対側に立ち上がる平板状の長板部６１と、長板部６１の内側板部３６とは反対側の端縁部から立上部２６の方向に突出する係合突条部６２と、内側板部３６の長板部６１よりも立上部２６側の中間位置から長板部６１と平行をなして外側板部３５とは反対側に、長板部６１よりも若干短く立ち上がる平板状の短板部６３と、短板部６３の内側板部３６とは反対側の端縁部から長板部６１の方向に突出する係合突条部６４とからなっている。
【００２６】
係合突条部６２の長板部６１とは反対側の端縁部には、ベース部２５側ほど短板部６３側に位置するように傾斜する面取り６５が形成されている。係合突条部６４の短板部６３とは反対側の端縁部には、そのベース部２５側にベース部２５側ほど短板部６３側に位置するように傾斜する面取り６６が形成されており、そのベース部２５とは反対側にベース部２５側ほど長板部６１側に位置するように傾斜するＲ面取り６７が形成されている。
【００２７】
オス部５７は、見切部２８の基板部５１における先板部５２側の位置から基板部５１に垂直をなしてベース部２５側に立ち上がる平板状の基端板部７１と、基端板部７１の基板部５１とは反対側の端縁部にて基端板部７１側以外に膨出する膨出突条部７２とを有している。オス部５７は、膨出突条部７２の径が、メス部５６の長板部６１と短板部６３との間の幅よりも小さく、係合突条部６２，６４の間の最小幅よりも大きい。また、基端板部７１の板厚が係合突条部６２，６４の間の最小幅よりも薄い。よって、膨出突条部７２が係合突条部６２，６４を押し開きながら長板部６１と短板部６３との間に入り込むと、係合突条部６２，６４（特に係合突条部６４）で係止されることになり、係合突条部６２，６４を押し開きながら長板部６１と短板部６３との間から抜け出ると、係合突条部６２，６４への係合が解除される。
【００２８】
そして、図１に示すように、一つの窓部１０に対してこれと二重窓構造をなす遮熱パネル２１は、窓部１０の窓ガラス１１の窓枠１２から露出する四辺（図１の断面で二辺のみ図示）に配置されて全体として矩形枠状をなす四本（図１の断面で二本のみ図示）の枠材２０と、これら枠材２０を窓ガラス１１に貼着するための四枚（図１の断面で二枚のみ図示）の両面テープ７５と、枠材２０と窓枠１２との隙間を塞ぐ四本（図１の断面で二本のみ図示）のクッションテープ７６と、四本の枠材２０で保持される一枚の遮熱板２２とで構成されている。四本の枠材２０、四枚の両面テープ７５、四本のクッションテープ７６は、それぞれ一つの長尺状の部材から窓部１０の大きさに合わせて切断されることにより形成される。
【００２９】
上記した遮熱パネル２１を施工する場合、まず、図３に示すように、枠材２０の保持部３０のメス部５６とオス部５７との連結を解除し、ヒンジ部２７を変形させて見切部２８をベース部２５に対し開いた状態とする。このような枠材２０に対して、ベース部２５の外側板部３５の一端突条部４１と他端突条部４２との間に両面テープ７５を貼着するとともに、立上部２６の外面の隅隠部２９よりもベース部２５側にクッションテープ７６を貼着する。そして、図４に示すように、クッションテープ７６を窓枠１２に押し付け圧縮しつつ隅隠部２９を窓枠１２に当接させるようにして両面テープ７５を窓ガラス１１に貼着する。このようにして四本の枠材２０を窓ガラス１１の四辺に貼着する。この状態で、枠材２０は、中空構造のベース部２５において窓ガラス１１に貼着されることになり、立上部２６が窓部１０の窓枠１２に対向配置される。なお、枠材２０同士を直角に接合するには、単に一方の枠材２０の側面に他方の枠材２０の木口を当接させる「突合わせ」、端部を４５度に切断して当接させる「留継ぎ」、また別途の「コーナー部材」を用いるなど任意の方法を採用することができる。
【００３０】
上記状態から、窓部１０の大きさに合わせて矩形状に形成された遮熱板２２をすべての枠材２０のベース部２５のメス部５６よりも立上部２６とは反対側に配置して、すべての枠材２０について、見切部２８を揺動させて、図１に示すように、保持部３０のオス部５７をメス部５６に嵌合させる。すると、すべての枠材２０において見切部２８がベース部２５とで遮熱板２２の各端縁部を挟持することになり、保持部３０が見切部２８をこの状態に保持する（つまり、見切部２８はベース部２５とで遮熱板２２の端縁部を挟持可能）。これにより、遮熱パネル２１が窓部１０に取り付けられて間に空間部８０を有する二重窓構造となる。このとき、ベース部２５は内側突条部４３で遮熱板２２に当接し、見切部２８は主に先板部５２が撓みながら対向突条部５３で遮熱板２２に当接する。
【００３１】
以上に述べた本実施形態の枠材２０および遮熱パネル２１によれば、枠材２０を見切部２８を開いた状態で両面テープ７５で窓部１０に貼り付け、遮熱板２２を挟むように見切部２８をベース部２５側に揺動させて保持部３０を嵌合させれば施工できるため、窓部１０を容易に二重窓構造にすることができる。勿論、遮熱パネル２１の遮熱板２２の室内側にさらに遮熱パネル２１を設けるようにすれば多重窓構造にすることもできる。
【００３２】
また、枠材２０は、窓部１０の窓ガラス１１に貼着されるとともに見切部２８とで遮熱板２２の端縁部を挟持するベース部２５が中空構造をなしているため、ベース部２５つまり枠材２０における窓ガラス１１と遮熱板２２との間に配置される部分の遮熱性（断熱性）を向上させることができる。よって、遮熱パネル２１全体の遮熱性をさらに向上させることができる。
【００３３】
また、枠材２０は、立上部２６の見切部２８とは反対側に隅隠部２９が形成されているため、立上部２６と窓枠１２との間にクッションテープ７６等の断熱材を配置してもこれを隅隠部２９で隠すことができ、外観が良くなる。
【００３４】
また、枠材２０は、押出成形による合成樹脂一体成形品であるため、部品点数を低減することができ、製造コストおよび管理コスト等を低減することができる。
【００３５】
なお、図５に示すように、枠材２０のベース部２５のみを、溝加工により溝部８１を形成し長さ方向に分割しても良い。これによって、図５に二点鎖線で示すように、窓ガラス１１と遮熱板２２との間の空間部８０が、溝部８１を介してベース部２５の空間部４５，４６と、メス部５６および立上部２６間の空間部８２とに連通することになり、枠材２０同士の突き合わせコーナー部の隙間やコーナー役物の隙間等から熱気を排出することができる。また、空間部４５，４６に通じる小穴を一端連結板部３７、中間連結板部３８および内側板部３６にそれぞれ複数カ所形成することによっても、枠材２０同士の突き合わせコーナー部の隙間やコーナー役物の隙間等より熱気を排出することができる。
【００３６】
また、図６に示すように、枠材２０の保持部３０のみを、溝加工により溝部８５を形成し長さ方向に分割して、図６に二点鎖線で示すように配線路を確保しても良い。これによって、例えば窓ガラス１１に貼着されたセンサ用の配線を溝部８５を介してメス部５６および立上部２６間の空間部８２に通し、コーナー部等から引き出すことができる。
【００３７】
加えて、クレセント廻りには、枠材２０にルータ等で切削を施して逃げを形成し干渉を避けるようにすれば良い。
【符号の説明】
【００３８】
１０  窓部
１１  窓ガラス
１２  窓枠
２０  枠材
２１  遮熱パネル
２２  遮熱板
２５  ベース部
２６  立上部
２７  ヒンジ部
２８  見切部
２９  隅隠部
３０  保持部
【図１】
0005603891.tif 000002
【図２】
0005603891.tif 000003
【図３】
0005603891.tif 000004
【図４】
0005603891.tif 000005
【図５】
0005603891.tif 000006
【図６】
0005603891.tif 000007